(57)【特許請求の範囲】
【請求項１】
二重のスクリーンを上下方向に相対移動可能とするロールスクリーンであって、
スクリーンの一端を取着して巻き取り可能に吊下支持する巻取手段と、
前記巻取手段から垂下され折り返された当該スクリーンの他端を取着して吊下支持する固定手段とを備え、
前記巻取手段により前記スクリーンを巻き戻した状態で前記巻取手段と前記固定手段との間で生じる隙間を塞ぐことが可能な遮蔽部が、前記スクリーンに対して設けられ、
前記遮蔽部は、当該スクリーンの他端が前記固定手段により折り返して取着され、前記固定手段から垂下されることにより形成されていることを特徴とするロールスクリーン。
【請求項２】
二重のスクリーンを上下方向に相対移動可能とするロールスクリーンであって、
スクリーンの一端を取着して巻き取り可能に吊下支持する巻取手段と、
前記巻取手段から垂下され折り返された当該スクリーンの他端を取着して吊下支持する固定手段とを備え、
前記巻取手段により前記スクリーンを巻き戻した状態で前記巻取手段と前記固定手段との間で生じる隙間を塞ぐことが可能な遮蔽部が、前記スクリーンに対して設けられ、
前記遮蔽部は、当該スクリーンとは別の遮蔽生地からなることを特徴とするロールスクリーン。
【請求項３】
前記遮蔽生地は、前記スクリーンの取着に併せて共に取着するよう構成されていることを特徴とする、請求項２に記載のロールスクリーン。
【請求項４】
前記遮蔽生地は、前記巻取手段に取着する当該スクリーンの一端側に設けられ、
前記巻取手段による巻取り時には前記スクリーンの巻き取りと共に前記遮蔽生地が巻き取れ、前記巻取手段による巻戻し時には前記スクリーンの巻戻しと共に前記遮蔽生地が巻戻されるよう構成されていることを特徴とする、請求項２又は３に記載のロールスクリーン。
【請求項５】
前記遮蔽生地は、前記巻取手段の外周面と前記固定手段の外周面のそれぞれに接する接線のうち、前記巻取手段の長手方向に対して垂直な面上で前記巻取手段と前記固定手段との間で交差する２つの接線間で形成される隙間を塞ぐよう設けられていることを特徴とする、請求項２から４のいずれか一項に記載のロールスクリーン。
【発明の詳細な説明】
【技術分野】
【０００１】
本発明は、二重のスクリーンを上下方向に相対移動可能とするロールスクリーンに関する。
【背景技術】
【０００２】
従来、二重に重ね合わせたスクリーンを上下方向に相対移動させて室内への採光量を調節可能としたロールスクリーンがある。
【０００３】
このようなロールスクリーンにおけるスクリーンは、光を一部透過させる透過部と、光を遮る遮光部とが例えば縞状に交互に形成され、このスクリーンが二重に重ね合わされた状態で吊下支持されている。そして、操作手段の操作により、前後のスクリーンを上下方向に相対移動させて、透過部と遮光部との重なり具合を調整することにより、採光量を調節可能としている。
【０００４】
例えば、スクリーンの長さの調整を容易とするために、巻き取りロッドに一端が固定されスクリーンを垂下し、錘部材で折り返して他端を固定部材に固定する際に、固定部材の内部にて当該スクリーンの長さを調整可能に収容する構成が開示されている（例えば、特許文献１参照）。尚、この構成では、二重のスクリーンの間隙が生じるように構成され、互いに密着することがない。
【０００５】
一方、巻取軸に一端が取着されスクリーンを垂下し、ウェイトバーで折り返して他端をサポートパイプに取着するロールスクリーンとして、二重のスクリーンを密着状態に維持しながらスクリーンを円滑に昇降可能とする構成が開示されている（例えば、特許文献２参照）。
【先行技術文献】
【特許文献】
【０００６】
【特許文献１】特開２００９−７９４３０号公報
【特許文献２】特許第３３１１９９４号明細書
【発明の概要】
【発明が解決しようとする課題】
【０００７】
前述した特許文献１に開示される技法では、二重のスクリーンの間隙が生じるように構成され、互いに密着しないことから、二重のスクリーンの透過部と遮光部の位置を調節して遮蔽状態としても外光に対する遮蔽効果を高くすることができない。
【０００８】
一方、特許文献２に開示される技法では、二重のスクリーンの間隙を密着させることができるため、二重のスクリーンの透過部と遮光部の位置を調節して遮蔽状態としたとき、特許文献１の技法よりも外光に対する遮蔽効果を高くすることができる。
【０００９】
しかしながら、前述した特許文献１，２に開示される技法では、スクリーンの一端を取着して巻取りや巻戻しを行う巻取手段（前述した巻き取りロッドや巻取軸等）と、スクリーンの他端を取着して吊下支持する固定手段（前述した固定部材やサポートパイプ等）との間の隙間から入射する外光を完全には遮蔽できないという問題がある。
【００１０】
例えば、巻取手段によりスクリーンを巻き戻した状態で二重のスクリーンにおける透過部と遮光部を遮蔽状態となるよう構成しても、当該巻取手段と固定手段との間で外光が入射可能な隙間が生じてしまう。
【００１１】
本発明の目的は、上述の問題を鑑みて、相対移動可能な二重のスクリーンを上下方向に相対移動させるロールスクリーンを提供することにある。
【課題を解決するための手段】
【００１４】
また、本発明のロールスクリーンは、二重のスクリーンを上下方向に相対移動可能とするロールスクリーンであって、スクリーンの一端を取着して巻き取り可能に吊下支持する巻取手段と、前記巻取手段から垂下され折り返された当該スクリーンの他端を取着して吊下支持する固定手段とを備え、前記巻取手段により前記スクリーンを巻き戻した状態で前記巻取手段と前記固定手段との間で生じる隙間を塞ぐことが可能な遮蔽部が、前記スクリーンに対して設けられ、前記遮蔽部は、当該スクリーンの他端が前記固定手段により折り返して取着され、前記固定手段から垂下されることにより形成されていることを特徴とする。
【００１５】
また、本発明のロールスクリーンは、二重のスクリーンを上下方向に相対移動可能とするロールスクリーンであって、スクリーンの一端を取着して巻き取り可能に吊下支持する巻取手段と、前記巻取手段から垂下され折り返された当該スクリーンの他端を取着して吊下支持する固定手段とを備え、前記巻取手段により前記スクリーンを巻き戻した状態で前記巻取手段と前記固定手段との間で生じる隙間を塞ぐことが可能な遮蔽部が、前記スクリーンに対して設けられ、前記遮蔽部は、当該スクリーンとは別の遮蔽生地からなることを特徴とする。
【００１６】
また、本発明のロールスクリーンにおいて、前記遮蔽生地は、前記スクリーンの取着に併せて共に取着するよう構成されていることを特徴とする。
【００１７】
また、本発明のロールスクリーンにおいて、前記遮蔽生地は、前記巻取手段に取着する当該スクリーンの一端側に設けられ、前記巻取手段による巻取り時には前記スクリーンの巻き取りと共に前記遮蔽生地が巻き取れ、前記巻取手段による巻戻し時には前記スクリーンの巻戻しと共に前記遮蔽生地が巻戻されるよう構成されていることを特徴とする。
【００１８】
また、本発明のロールスクリーンにおいて、前記遮蔽生地は、前記巻取手段の外周面と前記固定手段の外周面のそれぞれに接する接線のうち、前記巻取手段の長手方向に対して垂直な面上で前記巻取手段と前記固定手段との間で交差する２つの接線間で形成される隙間を塞ぐよう設けられていることを特徴とする。
【発明の効果】
【００１９】
本発明によれば、巻取手段によりスクリーン（生地）を巻き戻した状態で、巻取手段と固定手段との間で生じる隙間からの外光を効果的に遮蔽し、相対移動可能な二重のスクリーンにおける透過部と遮光部とを一致させて遮光状態としたときの遮光性を向上させることができる。
【図面の簡単な説明】
【００２０】
【図１】本発明による第１実施形態のロールスクリーンの概略構成を示す正面図である。
【図２】本発明による第１実施形態のロールスクリーンの概略構成を示す側面透視図である。
【図３】本発明による第１実施形態のロールスクリーンにおける操作プレート周辺の概略構成を示す分解斜視図である。
【図４】（ａ）,（ｂ）,（ｃ）は、本発明による第１実施形態のロールスクリーンにおける操作プレートの動作説明図である。
【図５】本発明による第１実施形態のロールスクリーンにおける実施例１の遮蔽生地を例示する側面から見た拡大図である。
【図６】（ａ）,（ｂ）は、それぞれ本発明による第１実施形態のロールスクリーンにおける実施例２，３の遮蔽生地を例示する側面から見た拡大図である。
【図７】本発明による第２実施形態のロールスクリーンの概略構成を示す側面透視図である。
【図８】（ａ）,（ｂ）は、それぞれ本発明による第２実施形態のロールスクリーンにおける実施例１，２の遮蔽生地を例示する側面から見た拡大図である。
【図９】（ａ）,（ｂ）は、それぞれ本発明による他の実施形態のロールスクリーンにおける取付フレーム周辺の概略を示す側面から見た概略拡大図である。
【発明を実施するための形態】
【００２１】
以下、図面を参照して、本発明による各実施形態のロールスクリーン１を説明する。尚、本願明細書中、図１に示すロールスクリーン１の正面図に対して、図示上方及び図示下方をスクリーン４の吊り下げ方向に準じてそれぞれ上方向（又は上側）及び下方向（又は下側）と定義し、図示左方向をロールスクリーン１の左側、及び、図示右方向をロールスクリーン１の右側と定義して説明する。また、以下に説明する例では、図１に示すロールスクリーン１の正面図に対して、視認する側を前側（又は室内側）、その反対側を後側（又は室外側）とし、ロールスクリーン１の前後方向と称するときは、図１の正面図における図示面に対して垂直な方向を云う。
【００２２】
〔第１実施形態〕
（全体構成）
まず、図１乃至図４を参照して、本発明による第１実施形態のロールスクリーン１の構成を説明する。図１は、本発明による第１実施形態のロールスクリーン１の概略構成を示す正面図であり、図２は、本発明による第１実施形態のロールスクリーン１の概略構成を示す側面透視図である。図３は、本発明による第１実施形態のロールスクリーン１における操作プレート６周辺の概略構成を示す分解斜視図である。また、図４（ａ）,（ｂ）,（ｃ）は、本発明による第１実施形態のロールスクリーン１における操作プレート６の動作説明図である。
【００２３】
図１及び図２に示すロールスクリーン１は、取付フレーム２の両端に支持部材２ａ，２ｂが固定され、その支持部材２ａ，２ｂから延びる固定軸１１によって、支持部材２ａ，２ｂ間に円筒状の巻取パイプ９が回転可能に支持される。
【００２４】
巻取パイプ９の右端部には操作プーリー１０が設けられ、この操作プーリー１０に掛回される無端状の操作コード３が垂下されている。そして、操作コード３の操作により巻取パイプ９を回転操作可能となるよう構成されており、操作コード３が掛回される操作プーリー１０の表面は高摩擦性の表面形状を有する。尚、この操作コード３をボールチェーンで構成し、このボールチェーンが掛回される操作プーリー１０の表面を、そのボールチェーンのボール部に適合する形状の凹凸を有するように構成することもできる。
【００２５】
支持部材２ａと操作プーリー１０との間には、操作プレート６が巻取パイプ９に対して相対回動可能に設けられている。また、支持部材２ｂと巻取パイプ９の左端部との間には、支持プレート８が巻取パイプ９に対して相対回動可能に設けられている。操作プレート６の下方には、操作プレート６及び支持プレート８間に延びる円筒状の固定パイプ７の一端が取着されている。尚、操作プレート６の具体的な構成及び動作については詳細に後述する。
【００２６】
支持プレート８の下方にて固定パイプ７の他端が取着されている。本実施形態の支持プレート８の形状は、後述するコード案内部１２，１３が設けられていない点を除き、操作プレート６の形状とほぼ同様となっている。ただし、支持プレート８の外形形状は、巻取パイプ９に対して相対回動可能とし、固定パイプ７の他端を取着する形態であれば、操作プレート６の外形形状とは異なる形状としてもよい。
【００２７】
巻取パイプ９は、スクリーン４の一端を取着して巻き取り可能に吊下支持しており、巻取パイプ９から垂下し、錘部材として機能するウェイトバー５を介して折り返されたスクリーン４の他端は固定パイプ７に取着されている。そして、巻取パイプ９と固定パイプ７との間で垂下されるスクリーン４の下端部には、ウェイトバー５の両端部で回転可能に支持されるローラー１５が挿通されている。従って、スクリーン４はウェイトバー５の重量に基づいて張設される。
【００２８】
そして、操作コード３を操作して巻取パイプ９をスクリーン巻取り方向へ回転させるとウェイトバー５が上昇し、巻取パイプ９をスクリーン巻戻し方向へ回転させるとウェイトバー５が下降する。
【００２９】
また、巻取パイプ９内において、その左端側にはスクリーン４の巻上時の操作力を軽減するスプリングモーター、右端側にはスクリーン４の自重降下を防止するストッパ装置等が収容されている（図示せず）。
【００３０】
スクリーン４は、光を一部透過させる透過部４ｂと、光を遮る遮光部４ａとが例えば縞状に交互に形成され、このスクリーン４が二重に重ね合わされた状態で吊下支持されているため、操作コード３の操作により、前後のスクリーン４を上下方向に相対移動させて、透過部４ｂと遮光部４ａとの重なり具合を調整することにより、採光量が調節可能となっている。
【００３１】
次に、図３を参照して、操作プレート６及びその周辺の具体的な構成について説明する。操作プーリー１０は、支持部材２ａから延びる固定軸１１を回転軸とするための透孔が設けられ、この固定軸１１によって、操作プーリー１０の回転に伴い巻取パイプ９が回転可能に支持される。このため、操作プーリー１０の左端側には巻取パイプ９の右端内周面に嵌合する嵌合部２５が設けられる。また、操作プーリー１０の左端部は巻取パイプ９内に収容されるストッパ装置に連結するギア機構と噛合するようになっている（図示せず）。ギア部・ギア機構は増・減速不要であれば省略し巻取パイプ９と操作プーリー１０を単に直結する構成でかまわない。
【００３２】
操作プーリー１０の右端部には略円柱状の回動支持部２４が設けられ、該回動支持部２４よりも大きい径の長孔状の回動受部１７が、操作プレート６に設けられている。従って、操作プレート６は、操作プーリー１０及び巻取パイプ９に対して、相対回動可能に支持される。この長孔状の回動受部１７は、後述の支軸１６に対して相対回動可能とするとともに、一定角度以上、相対回動しないように規制するように形成されている。本実施形態の支持プレート８の形状は、本実施形態の操作プレート６の形状とほぼ同様となっており、本実施形態の操作プレート６と同様の長孔状の回動受部１７（図示せず）が設けられている。
【００３３】
また、操作プレート６には、支持部材２ａから延びる支軸１６を回動軸として操作プレート６が振り子動作を行うよう、室外側上方に、支軸１６を挿通する回動軸孔部２３が設けられている。同様に、支持プレート８にも、支持部材２ｂから延びる支軸１６を回動軸として支持プレート８が振り子動作を行うよう、室外側上方に、支軸１６を挿通する回動軸孔部２３が設けられている（図示せず）。尚、操作プレート６及び支持プレート８にそれぞれ支軸１６を設け、支持部材２ａ，２ｂにそれぞれ回動軸孔部２３を設ける構成としてもよい。
【００３４】
従って、本実施形態の操作プレート６及び支持プレート８は、支軸１６を回動軸として、長孔状の回動受部２３によって回動範囲が規制された状態で、操作プーリー１０及び巻取パイプ９に対して相対回動可能となっている。
【００３５】
操作プレート６の上方には、コードカバー２０を備える図示しない別部品が固定軸１１上に設けられる。尚、コードカバー２０は、支持部材２ａに取着する形態とすることもできる。操作プレート６の下方には、固定パイプ７を支持可能な孔部２２が設けられている。固定パイプ７はリベット等の保持部材２１により固定パイプ７の一端を取着可能であり、支持部材２ａ，２ｂ間に延びるよう保持される。固定パイプ７は、操作プレート６に対して回転可能に取着してもよいし、回転不能に取着してもよい。回転可能且つ回転位置で保持できるラチェット機構等を設ければスクリーン４の下限状態におけるウェイトバー５の高さを微調整することができる。
【００３６】
操作プレート６の前端側には、そのプレート面から突出した２本のコード案内部１２，１３が設けられる。操作プーリー１０から垂下される無端状の操作コード３は、２本のコード案内部１２，１３間から垂下されるよう案内される（図４参照）。
【００３７】
このように構成された操作プレート６は、操作コード３の操作時には、相対移動可能な二重のスクリーン４の間隔が離れるよう振り子動作する。特に、操作プレート６は、巻取パイプ９と固定パイプ７との位置関係が、静止時と操作時との間で変化するように振り子動作する。そして、二重のスクリーン４の操作時の間隔が、静止時の間隔より大きくなるよう構成されている。
【００３８】
より具体的に、図４を参照して、操作プレート６の動作について説明する。まず、図４（ａ）を参照するに、操作プレート６は、操作プーリー１０及び巻取パイプ９に対して相対回動可能に支持され、ウェイトバー５の下限位置、中間位置及び上限位置のそれぞれの静止時では、操作プレート６には自重（スクリーン４・ウェイトバー５・操作プレート６・支持プレート８・固定パイプ７の重量）で前後のスクリーン４が密着する方向、つまり手前側に（図４で時計回りに）トルクが働く。操作コード３は、コード案内部１２，１３を基準に垂下される。
【００３９】
この静止時では、ウェイトバー５が下限位置にあるとき、或いはウェイトバー５の中間位置及び上限位置で巻取パイプ９にスクリーン４が巻き取られている状態にあるとき、二重のスクリーン４の間隔を近接又は密着させる位置（二重のスクリーン４の間隔ｄ１）で安定化するようになっている。従って、二重のスクリーン４の透過部４ｂと遮光部４ａとをずらして半透過状態とすることや、スクリーン４の透過部４ｂと遮光部４ａとを一致させて遮光状態とすることができ、特に、遮光状態としたときの遮光性を向上させることができる。尚、本例では、ウェイトバー５の下限状態において遮光状態となるよう、スクリーン４の各端部が巻取パイプ９及び固定パイプ７にそれぞれ取着されている。
【００４０】
次に、図４（ｂ）を参照するに、例えばウェイトバー５が下限位置や中間位置にある状態からウェイトバー５を上昇させるよう操作コード３を操作すると、巻取パイプ９にスクリーン４が巻き取られる。このとき、操作コード３によりコード案内部１２を介して操作プレート６に時計回りのトルクが加わることにより操作プレート６が振り子動作し、二重のスクリーン４の操作時の間隔ｄ２が、静止時の間隔ｄ１より大きくなるよう構成されている。従って、上昇操作時に二重のスクリーン４が摩擦することなく、或いは摩擦はしても昇降中の一部分的か、又は摩擦力が低減されて相対移動するため、スクリーン４を痛めるおそれが無い。
【００４１】
同様に、図４（ｃ）を参照するに、例えばウェイトバー５が中間位置や上限位置にある状態からウェイトバー５を下降させるよう操作コード３を操作すると、巻取パイプ９に巻き取られていたスクリーン４が下降する。このとき、操作コード３によりコード案内部１２を介して操作プレート６に時計回りのトルクが加わることにより操作プレート６が振り子動作し、二重のスクリーン４の操作時の間隔ｄ３が、静止時の間隔ｄ１より大きくなるよう構成されている。従って、下降操作時においてもスクリーン４が摩擦することなく、或いは摩擦はしても昇降中の一部分的か、又は摩擦力が低減されて相対移動するため、スクリーン４を痛めるおそれが無い。尚、スクリーン４の生地が巻き太る上限付近の一部では摩擦が発生したとしても、摩擦力が低減される方向に作用する。
【００４２】
このように、静止時には、操作コード３にテンションが無くなり、操作プレート６がスクリーン４等の自重により二重のスクリーン４が近付く方向に回動するため、二重のスクリーン４の間隔を近接又は密着させることができ、スクリーン４の透過部４ｂと遮光部４ａとを一致させて遮光状態としたときの遮光性を向上させることができる。
【００４３】
加えて、本実施形態のロールスクリーン１では、巻取パイプ９によりスクリーン４を巻き戻した状態（下限状態）で、二重のスクリーン４における透過部４ｂと遮光部４ａを遮蔽状態となるよう構成し、巻取パイプ９と固定パイプ７との間の隙間から入射する外光を完全に遮蔽できるよう、巻取パイプ９には、スクリーン４に重ねて、スクリーン４の左右幅と略同一で所定長の遮蔽生地１８が取着されている。以下、各実施例の遮蔽生地１８について詳細に説明する。
【００４４】
（実施例１の遮蔽生地）
図５は、本発明による第１実施形態のロールスクリーン１における実施例１の遮蔽生地１８を例示する側面から見た拡大図である。図５に示すように、実施例１の遮蔽生地１８は、巻取パイプ９と固定パイプ７との間の隙間を塞ぐことが可能な長さで、巻取パイプ９に対して、スクリーン４に重ねてその一端が取着されている。従って、遮蔽生地１８の他端はスクリーン４の垂下方向に倣って垂下される。尚、遮蔽生地１８の他端をスクリーン４上に溶着等により固定させることもできるが、本例のように、単に、巻取パイプ９に対して、スクリーン４に重ねて遮蔽生地１８の一端を共に取着させるのみとすることで、組立性を向上させることができる。
【００４５】
また、巻取パイプ９による巻取り時にはスクリーン４とともに遮蔽生地１８を巻き取られ、巻取パイプ９による巻戻し時にはスクリーン４の巻戻しに倣って巻き戻される。このため、例えば操作プレート６と支持プレート８との間に遮蔽効果の有る外壁を設けるような構成と比較して、遮蔽生地１８が振り子動作の操作性を阻害することが無く、且つ組立性及び美観を損ねることが無い。
【００４６】
尚、実施例１の遮蔽生地１８は、巻取パイプ９と固定パイプ７との間の隙間を塞ぐことが可能な長さとすればよい。より具体的には、図５に示すように、巻取パイプ９の外周面と固定パイプ７の外周面のそれぞれに接する接線のうち、巻取パイプ９の長手方向に対して垂直な面上で巻取パイプ９と固定パイプ７との間で交差する２つの接線Ｌ１，Ｌ２間で形成される隙間ＳＡを塞ぐのに十分な長さとするのが好適である。
【００４７】
（他の実施例の遮蔽生地）
巻取パイプ９と固定パイプ７との間の隙間を塞ぐことが可能な長さを有する遮蔽生地１８として、他の実施例の形態でも構成することができる。図６（ａ）,（ｂ）は、それぞれ本発明による第１実施形態のロールスクリーン１における実施例２，３の遮蔽生地１８を例示する側面から見た拡大図である。
【００４８】
例えば、図６（ａ）に示すように、実施例２の遮蔽生地１８として、巻取パイプ９に取着されたスクリーン４の上端から所定位置１８ａにて遮蔽生地１８の一端を溶着等により取着させるように構成することができる。従って、実施例２の遮蔽生地１８の他端はスクリーン４の垂下方向に倣って垂下される。また、実施例２の遮蔽生地１８の他端をスクリーン４上に溶着等により固定させることもできる。
【００４９】
或いは、図６（ｂ）に示すように、実施例３の遮蔽生地１８として、スクリーン４の上端位置１８ｂにて、遮蔽生地１８を継ぎ足すよう取着して構成することができる。尚、実施例２，３の場合には、スクリーン４と遮蔽生地１８とを溶着等により固定させる組立工程が追加される点で、実施例１の遮蔽生地１８の場合よりも組立性の観点で劣ることになるが、例えば操作プレート６と支持プレート８との間に遮蔽効果の有る外壁を設けるような構成と比較すれば、遮蔽生地１８が振り子動作の操作性を阻害することが無く、且つ組立性及び美観を損ねることが無い。
【００５０】
このように、本実施形態の各実施例によれば、巻取パイプ９によりスクリーン４を巻き戻した状態で、巻取パイプ９と固定パイプ７との間で生じる隙間からの外光を効果的に遮蔽し、相対移動可能な二重のスクリーン４における透過部４ｂと遮光部４ａとを一致させて遮光状態としたときの遮光性を向上させることができる。
【００５１】
〔第２実施形態〕
（全体構成）
次に、図７及び図８を参照して、本発明による第２実施形態のロールスクリーン１０１の構成を説明する。図７は、本発明による第２実施形態のロールスクリーン１０１の概略構成を示す正面図であり、図８（ａ）,（ｂ）は、それぞれ本発明による第２実施形態のロールスクリーン１０１における実施例１，２の遮蔽生地１８を例示する側面から見た拡大図である。尚、第２実施形態において、第１実施形態と同様な構成要素には同一の参照番号を付している。
【００５２】
前述した第１実施形態のロールスクリーン１では、巻取パイプ９が固定軸１１によって支持部材２ａ，２ｂ間に回転可能に支持され、固定パイプ７が支軸１６によって操作プレート６及び支持プレート８間に支持されて振り子動作させる例を説明したが、第２実施形態のロールスクリーン１０１は、特許文献２と同様に、巻取パイプ９及び固定パイプ７がそれぞれ支持部材２ａ，２ｂ間に支持される例である。ここで、限定するものではないが、巻取パイプ９は支持部材２ａ，２ｂ間に回転可能に支持され、固定パイプ７は支持部材２ａ，２ｂ間に回転不能に支持される例を代表して説明する。
【００５３】
図７に示すロールスクリーン１０１は、取付フレーム２の両端に支持部材２ａ，２ｂが固定され、その支持部材２ａ，２ｂから延びる固定軸１１によって、支持部材２ａ，２ｂ間に円筒状の巻取パイプ９が回転可能に支持される。巻取パイプ９の右端部には操作プーリー１０（図示せず）が設けられ、この操作プーリー１０に掛回される無端状の操作コード３が垂下されている。そして、操作コード３の操作により巻取パイプ９を回転操作可能となるよう構成されており、操作コード３が掛回される操作プーリー１０の表面は高摩擦性の表面形状を有する。尚、この操作コード３をボールチェーンで構成してもよい。
【００５４】
固定パイプ７は、巻取パイプ９に対して背面側上方にて、その両端が支持部材２ａ，２ｂに固定されている。巻取パイプ９は、スクリーン４の一端を取着して巻き取り可能に吊下支持しており、巻取パイプ９から垂下し、錘部材として機能するウェイトバー５を介して折り返されたスクリーン４の他端は固定パイプ７に取着されている。そして、巻取パイプ９と固定パイプ７との間で垂下されるスクリーン４の下端部には、ウェイトバー５の両端部で回転可能に支持されるローラー１５が挿通されている。従って、スクリーン４はウェイトバー５の重量に基づいて張設される。
【００５５】
そして、操作コード３を操作して巻取パイプ９をスクリーン巻取り方向へ回転させるとウェイトバー５が上昇し、巻取パイプ９をスクリーン巻戻し方向へ回転させるとウェイトバー５が下降する。
【００５６】
また、巻取パイプ９内において、その左端側にはスクリーン４の巻上時の操作力を軽減するスプリングモーター、右端側にはスクリーン４の自重降下を防止するストッパ装置等が収容されている（図示せず）。
【００５７】
スクリーン４は、光を一部透過させる透過部４ｂと、光を遮る遮光部４ａとが例えば縞状に交互に形成され、このスクリーン４が二重に重ね合わされた状態で吊下支持されているため、操作コード３の操作により、前後のスクリーン４を上下方向に相対移動させて、透過部４ｂと遮光部４ａとの重なり具合を調整することにより、採光量が調節可能となっている。
【００５８】
このように、第２実施形態のロールスクリーン１０１においても、二重のスクリーン４の間隔を近接又は密着させることができ、スクリーン４の透過部４ｂと遮光部４ａとを一致させて遮光状態としたときの遮光性を向上させることができる。
【００５９】
加えて、本実施形態のロールスクリーン１０１では、巻取パイプ９によりスクリーン４を巻き戻した状態（下限状態）で、二重のスクリーン４における透過部４ｂと遮光部４ａを遮蔽状態となるよう構成し、巻取パイプ９と固定パイプ７との間の隙間から入射する外光を完全に遮蔽できるよう、固定パイプ７には、スクリーン４に重ねて、スクリーン４の左右幅と略同一で所定長の遮蔽生地１８が取着されている。以下、各実施例の遮蔽生地１８について詳細に説明する。
【００６０】
（実施例１の遮蔽生地）
図８（ａ）,（ｂ）は、それぞれ本発明による第２実施形態のロールスクリーン１０１における実施例１，２の遮蔽生地１８を例示する側面から見た拡大図である。図８（ａ）,（ｂ）に示す各実施例の遮蔽生地１８は、巻取パイプ９と固定パイプ７との間の隙間を塞ぐことが可能な長さで、固定パイプ７に対してスクリーン４に倣って取着されている。
【００６１】
例えば、図８（ａ）に示すように、本実施形態の実施例１の遮蔽生地１８として、面ファスナー等による取着手段３０により取付フレーム２の背面側の壁部に対して遮蔽生地１８の上端を取着し、固定パイプ７の外周面を部分的に覆うカバー３１を利用して、遮蔽生地１８をスクリーン４に倣って垂下させるよう構成することができる。従って、本実施例の遮蔽生地１８の下端はスクリーン４の垂下方向に倣って垂下される。また、本実施例の遮蔽生地１８の下端をスクリーン４上に溶着等により固定させることもできる。
【００６２】
或いは、図８（ｂ）に示すように、本実施形態の実施例２の遮蔽生地１８として、遮蔽生地１８の上端を自由端とし、例えば固定パイプ７の外周面に係合可能な形態で固定パイプ７の外周面を部分的に覆うカバー３２を構成し、このカバー３２を利用して遮蔽生地１８を固定パイプ７に取着し、スクリーン４に倣って垂下させるよう構成することができる。従って、本実施例の遮蔽生地１８の下端はスクリーン４の垂下方向に倣って垂下される。また、これら各実施例の遮蔽生地１８の下端をスクリーン４上に溶着等により固定させることもできるが、図８に示す例のように、単に、固定パイプ７に対して、スクリーン４に倣って遮蔽生地１８を取着させるようにすることで、組立性を向上させることができる。
【００６３】
或いはまた、前述の第１実施形態に関する実施例２，３（図６参照）を応用して、巻取パイプ９と固定パイプ７との間の隙間を塞ぐことが可能な長さで、固定パイプ７に取着されたスクリーン４の上端から所定位置にて遮蔽生地１８の一端を溶着等により取着させるように構成することや、固定パイプ７に取着するスクリーン４の上端部分に遮蔽生地１８を継ぎ足すよう取着することで構成することができる。この場合には、スクリーン４と遮蔽生地１８とを溶着等により固定させる組立工程が追加される点で、図８に示す各実施例の遮蔽生地１８の場合よりも組立性の観点で劣ることになるが、例えば支持部材２ａ，２ｂ間に遮蔽効果の有る外壁を設けるような構成と比較すれば、ロールスクリーン１０１の美観を損ねることが無い。
【００６４】
このように、本実施形態の各実施例によれば、巻取パイプ９によりスクリーン４を巻き戻した状態で、巻取パイプ９と固定パイプ７との間で生じる隙間からの外光を効果的に遮蔽し、相対移動可能な二重のスクリーン４における透過部４ｂと遮光部４ａとを一致させて遮光状態としたときの遮光性を向上させることができる。
【００６５】
〔他の実施形態〕
次に、図９を参照して、本発明による他の実施形態のロールスクリーンの構成を説明する。図９（ａ）,（ｂ）は、それぞれ本発明による他の実施形態のロールスクリーンにおける取付フレーム２周辺の概略を示す側面から見た拡大図である。尚、図９に示す実施形態において、第１実施形態と同様な構成要素には同一の参照番号を付している。
【００６６】
図９（ａ）,（ｂ）に示すロールスクリーンは、第２実施形態のロールスクリーン１０１の更なる変形例であり、巻取パイプ９に一端が取着されたスクリーン４の他端が、第２実施形態のような固定パイプ７ではなく、取付フレーム２の室外側の側面に設けられた係合部５１にて生地押さえ５２を係合させて取着するようになっている。
【００６７】
したがって、図９（ａ）,（ｂ）に示すロールスクリーンにおいても、図示を省略するが、巻取パイプ９が支持部材２ａ，２ｂ間に回転可能に支持され、巻取パイプ９の右端部には操作プーリー１０が設けられ、この操作プーリー１０に掛回される無端状の操作コード３が垂下されている。
【００６８】
そして、巻取パイプ９から垂下し、錘部材として機能するウェイトバー５を介して折り返されたスクリーン４の他端は取付フレーム２の係合部５１に取着されている。巻取パイプ９と係合部５１との間で垂下されるスクリーン４の下端部には、ウェイトバー５の両端部で回転可能に支持されるローラー１５が挿通されている。従って、スクリーン４はウェイトバー５の重量に基づいて張設され、第２実施形態のロールスクリーン１０１と同様に動作する。
【００６９】
ここで、図９（ａ）に示すロールスクリーンでは、取付フレーム２の係合部５１に係合する生地押さえ５２には、スクリーン４の一端及び遮蔽生地１８の一端が、係着位置５３でホチキス等により係着されている。尚、図９（ａ）に示す例では、スクリーン４よりも室外側に遮蔽生地１８が位置するよう係合部５１に取着する例を示しているが、スクリーン４よりも室内側に遮蔽生地１８が位置するよう係合部５１に取着してもよい。ただし、スクリーン４よりも室外側に遮蔽生地１８が位置するように構成することで、生地押さえ５２を遮蔽生地１８により外部から見えないようにできるため美観が保たれる点で好適である。
【００７０】
遮蔽生地１８は、取付フレーム２と巻取パイプ９との間の隙間から外光が入射するのを防止可能とする長さで、取付フレーム２の係合部５１の位置から垂下される。このように、図９（ａ）に示す実施形態によれば、巻取パイプ９によりスクリーン４を巻き戻した状態で、取付フレーム２と巻取パイプ９との間で生じる隙間からの外光を効果的に遮蔽し、相対移動可能な二重のスクリーン４における透過部４ｂと遮光部４ａとを一致させて遮光状態としたときの遮光性を向上させることができる。
【００７１】
一方、図９（ｂ）に示すロールスクリーンでは、取付フレーム２の係合部５１に係合する生地押さえ５２には、スクリーン４の一端が折り返されて、係着位置５３でホチキス等により係着されている。尚、図９（ｂ）に示す例では、スクリーン４を室内側から室外側に向けて折り返す例を示しているが、室外側から室内側に向けて折り返すよう構成してもよい。
【００７２】
スクリーン４の一端が折り返されて生地押さえ５２から垂下される長さは、スクリーン４における遮光部４ａが、取付フレーム２と巻取パイプ９との間の隙間から外光が入射するのを防止可能とする位置となるよう調整されている。このように、図９（ｂ）に示す実施形態によれば、巻取パイプ９によりスクリーン４を巻き戻した状態で、取付フレーム２と巻取パイプ９との間で生じる隙間からの外光を効果的に遮蔽し、相対移動可能な二重のスクリーン４における透過部４ｂと遮光部４ａとを一致させて遮光状態としたときの遮光性を向上させることができる。特に、図９（ｂ）に示す実施形態によれば、遮蔽生地１８を用いずに、スクリーン４における遮光部４ａを利用して生地押さえ５２からスクリーン４の一端を折り返して垂下するよう構成しているため、部品点数を削減して低コスト化及び高品質化を実現可能とするとともに、スクリーン４の生地で遮蔽効果を持たせるようにしたため異なる生地を利用した場合に生じうる美観の低下を防ぐこともできる。
【００７３】
また、遮蔽生地１８を用いる場合やスクリーン４の一端を折り返して垂下するよう構成する場合においても、巻取パイプ９の外周面と取付フレーム２の外面のそれぞれに接する接線のうち、巻取パイプ９の長手方向に対して垂直な面上で巻取パイプ９と取付フレーム２との間で交差する２つの接線間で形成される隙間を塞ぐのに十分なように構成すればよい。
【００７４】
以上のように、各実施形態のロールスクリーンによれば、巻取パイプ９によりスクリーン４を巻き戻した状態で、巻取パイプ９と固定パイプ７との間、或いは巻取パイプ９と取付フレーム２との間で生じる隙間を塞ぐことが可能な遮蔽生地１８を設けることにより、その隙間からの外光を効果的に遮蔽することができる。
【００７５】
また、各実施形態のロールスクリーンによれば、遮蔽生地１８やスクリーン４の一端を折り返して垂下する遮蔽部が相対移動可能な二重のスクリーン４のいずれか一方の垂下に倣って設けられることにより、美観を損ねること無く外光を効果的に遮蔽することができる。
【００７６】
また、各実施形態のロールスクリーンによれば、二重のスクリーン４のいずれか一方の取着に併せて遮蔽生地１８を共に取着するよう構成することで、組立性及び美観を損ねること無く外光を効果的に遮蔽することができる。
【００７７】
特に、第１実施形態の実施例１や第２実施形態の実施例２等に示すように遮蔽生地１８を設ける場合には、スクリーン４の取着に併せて遮蔽生地１８を共に取着するので、組立性や美観を損ねることも無い。
【００７８】
また、第１実施形態の実施例１に示すように巻取パイプ９側に遮蔽生地１８を設ける場合には、巻取パイプ９による巻取り時にはスクリーン４の巻取りと共に遮蔽生地１８が巻き取られ、巻取パイプ９による巻戻し時にはスクリーン４の巻戻しと共に遮蔽生地１８が巻戻されるので、この遮蔽生地１８が振り子動作の操作性を阻害することもない。
【００７９】
また、各実施形態のロールスクリーンによれば、巻取パイプ９と固定パイプ７との間、或いは巻取パイプ９と取付フレーム２との間の隙間を塞ぐことが可能な長さで設置するので、スクリーン４の透過部４ｂと遮光部４ａのパターンとは無関係に外光を効果的に遮蔽することができる。特に、巻取パイプ９の外周面と固定パイプ７の外周面（又は取付フレーム２の外面）のそれぞれに接する接線のうち、巻取パイプ９の長手方向に対して垂直な面上で巻取パイプ９と固定パイプ７（又は取付フレーム２）との間で交差する２つの接線Ｌ１，Ｌ２間で形成される隙間ＳＡを塞ぐのに十分な長さであれば、これ以上の長さとすることを不要とできるので、巻取パイプ９の巻取り径、或いは透過部４ｂと遮光部４ａによる採光量の調節に悪影響を及ぼすことはない。
【００８０】
以上、特定の実施形態の例を挙げて本発明を説明したが、本発明は前述の実施形態の例に限定されるものではなく、その技術思想を逸脱しない範囲で種々変形可能である。例えば、各実施形態において、室内側と室内側を特定して説明したが、室内側と室内側を逆向きに設置してもよい。
【００８１】
また、前述した各実施形態の例では、１枚のスクリーンを折り返した二重のスクリーン４として、光を一部透過させる透過部４ｂと、光を遮る遮光部４ａとが縞状に交互に形成されている例を説明したが、透過部４ｂと遮光部４ａとを交互に形成した態様でなくとも、二重のスクリーン４を用いるロールスクリーンであれば適用可能である。
【産業上の利用可能性】
【００８２】
本発明に係るロールスクリーンによれば、巻取パイプによりスクリーン（生地）を巻き戻した状態で、巻取パイプと固定パイプ（又は取付フレーム）との間で生じる隙間からの外光を効果的に遮蔽し、相対移動可能な二重のスクリーンにおける透過部と遮光部とを一致させて遮光状態としたときの遮光性を向上させることができるので、二重のスクリーンを用いるロールスクリーンの用途に有用である。
【符号の説明】
【００８３】
１，１０１  ロールスクリーン
２  取付フレーム
２ａ，２ｂ  支持部材
３  操作コード
４  スクリーン
４ａ  スクリーンの遮光部
４ｂ  スクリーンの透過部
５  ウェイトバー
６  操作プレート
７  固定パイプ
８  支持プレート
９  巻取パイプ
１０  操作プーリー
１１  固定軸
１２，１３  コード案内部
１５  ローラー
１６  支軸
１７  回動受部
２３  回動軸孔部
３０  取着手段（面ファスナー等）
３１，３２  固定パイプ用のカバー
【図１】
0006510194.tif 000002
【図２】
0006510194.tif 000003
【図３】
0006510194.tif 000004
【図４】
0006510194.tif 000005
【図５】
0006510194.tif 000006
【図６】
0006510194.tif 000007
【図７】
0006510194.tif 000008
【図８】
0006510194.tif 000009
【図９】
0006510194.tif 000010